(57)【要約】【課題】スタンド・ランプの構造を提供する。【解決手段】放熱殻体を含み、その頂端に近い内側表面に表示窓を設置し、且つ其の内部に放熱モジュールと、発光ランプ・ユニットと、制御回路と、を設置してあり；前記発光ランプ・ユニットは、放熱モジュールの上に結合され、且つ放熱殻体の表示窓と対応しており、発光ランプ・ユニットにて生じる光線を表示窓から放射させ、照明を提供する。放熱モジュールは放熱殻体と接触している。制御回路は発光ランプ・ユニットに接続され、其の上に放熱殻体から露出したスイッチを設け、これによって発光ランプ・ユニットのオン・オフを制御する。発光ランプ・ユニットに光源が発生すると、其の生じる熱エネルギーが放熱モジュールを経由して放熱殻体へ伝送され、且つ放熱殻体によって外界と熱交換を行い、速やかに放熱する目的を達成する。【選択図】図２
0003128944.tif 000002
【実用新案登録請求の範囲】
【請求項１】
放熱殻体と、放熱モジュールと、発光ランプ・ユニットと、スイッチと、を含み、
前記放熱殻体の中には、収容スペースを設置し、且つ殻体の頂端に近い内側表面に表示窓を設けてあり；
前記放熱モジュールは、放熱殻体の中に結合され、且つ放熱殻体と相互に張り合わせてあり；
前記発光ランプ・ユニットは、放熱モジュールの上に結合され、且つ放熱殻体の表示窓と対応し、発光ランプ・ユニットの光源から生じる光線が前記表示窓から放射されることができ；
前記スイッチは、発光ランプ・ユニットのオン・オフを制御し；
発光ランプ・ユニットにおいて光源が発生すると、発光ランプ・ユニットにて生じる熱エネルギーが放熱モジュールに接収され、且つ放熱殻体へ伝導され、放熱殻体によって外界と熱交換を行い、速やかに放熱する目的を達成することを特徴とするスタンド・ランプの構造。
【請求項２】
前記放熱殻体の上にスイッチを突露するための開口を設置したことを特徴とする請求項１に記載のスタンド・ランプの構造。
【請求項３】
前記放熱モジュールには、導熱基板と、少なくとも一本の導熱管及び少なくとも一個の放熱フィンを含み；前記導熱管によって導熱基板及び導熱フィンを一体として結合し、導熱基板と放熱殻体の表示窓を対応させ、発光ランプ・ユニットをこれに結合し、一方、放熱フィンは放熱殻体と相互に張り合わされることを特徴とする請求項１に記載のスタンド・ランプの構造。
【請求項４】
前記発光ランプ・ユニットは、発光ダイオード（LED）或いはその他高輝度・高度節電及び長寿命のランプ体であってもよいことを特徴とする請求項１に記載のスタンド・ランプの構造。
【請求項５】
前記放熱モジュールには、更に放熱ファンを含み、且つ放熱殻体の上に放熱ファンと対応する対流口を設置して、放熱ファンによって熱エネルギーを放熱殻体の対流口を経由して放熱殻体の外へ排出してもよいことを特徴とする請求項１に記載のスタンド・ランプの構造。
【請求項６】
放熱殻体と、放熱モジュールと、発光ランプ・ユニットと、制御回路と、を含み、
前記放熱殻体の中には、収容スペースを設置し、且つ殻体の頂端に近い内側表面に表示窓を設けてあり；
前記放熱モジュールは、放熱殻体の中に結合され、且つ放熱殻体と相互に張り合わせてあり；
前記発光ランプ・ユニットは、放熱モジュールの上に結合され、且つ放熱殻体の表示窓と対応し、発光ランプ・ユニットの光源から生じる光線が前記表示窓から放射されることができ；
前記制御回路は、放熱殻体の中に結合して位置決めされ、且つ発光ランプ・ユニットと接続され、前記制御回路には又スイッチが設置され、発光ランプ・ユニットのオン・オフを制御でき；
発光ランプ・ユニットにおいて光源が発生すると、発光ランプ・ユニットにて生じる熱エネルギーは放熱モジュールによって接収され、且つ放熱殻体の中へ伝導され、放熱殻体によって外界と熱交換を行い、速やかに放熱することを特徴とするスタンド・ランプの構造。
【請求項７】
前記放熱殻体の上に、制御回路のスイッチを突露させるための開口を設けたことを特徴とする請求項６に記載のスタンド・ランプの構造。
【請求項８】
前記放熱モジュールには、導熱基板と、少なくとも一本の導熱管及び少なくとも一個の放熱フィンを含み；前記導熱管によって導熱基板及び放熱フィンを一体として結合し、導熱基板と放熱殻体の表示窓を対応させ、これに発光ランプ・ユニットを結合し、一方、放熱フィンは放熱殻体と相互に張り合わされることを特徴とする請求項６に記載のスタンド・ランプの構造。
【請求項９】
前記発光ランプ・ユニットは、発光ダイオード（LED）或いはその他高輝度・高度節電及び長寿命のランプ体であってもよいことを特徴とする請求項６に記載のスタンド・ランプの構造。
【請求項１０】
前記制御回路には電源入力差込口が設置され、且つ放熱殻体の上にホールを設け、前記電源入力差込口は前記放熱殻体のホールと対応し、電源コードが放熱殻体のホールを経由して制御回路の電源入力差込口と接続し、電源を制御回路へ導入することを特徴とする請求項６に記載のスタンド・ランプの構造。
【請求項１１】
前記放熱モジュールには、更に放熱ファンを含み、且つ放熱殻体の上に放熱ファンと対応する対流口を設置して、放熱ファンによって熱エネルギーを放熱殻体の対流口から排出できることを特徴とする請求項６に記載のスタンド・ランプの構造。
【考案の詳細な説明】
【技術分野】
【０００１】
本考案は、スタンド・ランプの構造、特に放熱殻体及び放熱モジュールによって、発光ランプ・ユニットにて生じた熱エネルギーを速やかに殻体外へ排出することによって、発光ランプ・ユニットの使用寿命を延長するスタンド・ランプの構造に関するものである。
【背景技術】
【０００２】
スタンド・ランプの主な効用は室内光線の比較的弱い区域、例えば、机・事務机・書斎…などを補強し、使用者が読書又はその他の仕事を行うとき、スタンド・ランプ光線の助けによって、明るい環境下で読書やその他の仕事に従事し、視力の退化を避ける事が出来ようにすることにある；従ってスタンド・ランプの実用性については疑問の余地がない。
【０００３】
しかし、スタンド・ランプは実用的ではあるが、尚下記のような欠点がある、
従来のスタンド・ランプは、大抵白熱ランプ・水銀灯・ナトリューム・ランプなどを採用しており、照明効率が悪く、電力消耗量の増加を招いている。
従来の照明器具には、如何なる放熱装置も設置されていないので、ランプ体に生じる高熱エネルギーが適時に発散されず、ランプ体が焼けて壊れ易く、更にはランプ体の使用寿命が短くなる。
【０００４】
以上に見られるように、上述従来の物品には尚幾多の欠点があり、よい設計とは言い難く、改良が待たれていた。
本案の考案者は、上述従来スタンド・ランプに派生する各項の欠点に鑑み、極力新規改良を試み、且つ長年苦心研鑽の末、ついに本考案に係るスタンド・ランプ構造の研究開発に成功した。
【考案の開示】
【考案が解決しようとする課題】
【０００５】
本考案の目的は、放熱モジュールによって発光ランプ・ユニットにて生じる熱エネルギーを吸収し、且つ前記熱エネルギーを放熱殻体の中へ伝導し、放熱殻体によって外界と熱交換を行い、速やかに放熱する目的を達成できるスタンド・ランプの構造を提供することにある。
本考案の次の目的は、発光ダイオードを発光源として採用し、高輝度・節電性及び長寿命などの長所を備えるスタンド・ランプの構造を提供することにある。
本考案のもう一つの目的は、構造が簡単で、組み立ての便利性、及び実用性など多くの長所を持つスタンド・ランプの構造を提供することにある。
【課題を解決するための手段】
【０００６】
上述実用新案の目的を達成できるスタンド・ランプの構造は、放熱殻体と、放熱モジュールと、発光ランプ・ユニット及び制御回路を含み；
前記放熱モジュールと発光ランプ・ユニット及び制御回路は、放熱殻体の中に設置され；そして前記放熱殻体は、高度導熱性材質によって製作され、その頂上に近い内側表面には表示窓が設けてあり；前記発光ランプ・ユニットは放熱モジュールの上に結合され、且つ放熱殻体の表示窓と対応し；前記放熱モジュールは放熱殻体と接触し；前記制御回路は発光ランプ・ユニットと接続され、発光ランプ・ユニットを駆動して光源を生じさせ、且つ制御回路にはスイッチを取り付けてあり；前記スイッチは放熱殻体の外に突き出ており、発光ランプ・ユニットのオン・オフを制御できるようになっており；発光ランプ・ユニットに光源が発生すると、其の光線が表示窓を経由して放射され、必要な照明を提供する。一方、発光ランプ・ユニットにて生じた熱エネルギーは、放熱モジュールを経由して放熱殻体へ伝送され、更に放熱殻体によって外界と熱交換を行い、速やかに放熱する目的を達成する。
【考案の効果】
【０００７】
本考案の提供するスタンド・ランプの構造は、その他従来の技術に比べ、更に下記のような長所がある。
本考案は、放熱モジュールによって発光ランプ・ユニットにて生じる熱エネルギーを吸収し、且つ前記熱エネルギーを放熱殻体へ伝導し、放熱殻体によって外界と熱交換を行い、速やかに放熱する目的を達成するものである。
本考案は、発光ダイオードを発光源として採用し、高輝度・節電性・長寿命などの長所がある。
本考案は、構造が簡単で、組み立てが便利且つ実用的など多くの長所がある。
上述詳細な説明は、本考案の実施可能な例についての具体的説明であるが、本考案の特許請求範囲を制限するものではなく、凡そ本考案の技芸精神を逸脱せずなされる等価実施又は変更は、すべて本考案の特許請求の範囲に含まれるものとする。
以上を総合すると、本考案は空間形態の上で確かに創造性があるのみならず、従来の物品に比べ上述多項目の効能を増進でき、新規性及び進歩性の法定実用新案登録請求の要件を十分満たしておるものとして、ここに法に従って申請する次第である。
【考案を実施するための最良の形態】
【０００８】
図１〜図３は、本考案に係るスタンド・ランプの構造であり、主として、
放熱殻体１と、放熱モジュール２と、発光ランプ・ユニット３と、制御回路４と、を含み、
前記放熱殻体１は、高度導熱材質で作られ、其の造形は任意でよく、放熱殻体の中には収容スペースを設け、其の頂上に近い内側表面に表示窓１１が設置され、且つ其の上に開口１３及びホール１２が設置されている。
【０００９】
前記放熱モジュール２は、導熱基板２１と、少なくとも一本の導熱管２２及び少なくとも一個の放熱フィン２３を含み；前記導熱管２２によって導熱基板２１及び放熱フィン２３を一体に結合し；前記放熱モジュール２を放熱殻体１の収容スペースの中に結合して位置決めし、放熱モジュール２の導熱基板２１を放熱殻体１の表示窓１１に対応させ、又、前記放熱フィン２３は放熱殻体１の内壁面と張り合わされて接触している。
【００１０】
前記発光ランプ・ユニット３は、放熱モジュール２の導熱基板２１の上に結合され、発光ランプ・ユニット３と放熱殻体１の表示窓１１を対応させることによって、発光ランプ・ユニット３にて発生する光源が表示窓１１から放射され、必要な照明光線を提供する；前記発光ランプ・ユニット３は、発光ダイオード（LED）或いはその他高輝度・節電性・長寿命の性能を有するランプ体であってよい。
【００１１】
前記制御回路４は、少なくともスイッチ４１及び電源入力差込口４２を含む；前記制御回路４を放熱殻体１の中に結合位置決めし、其の上にあるスイッチ４１を放熱殻体１の開口１３から放熱殻体１の外へ突露させてある。前記電源入力差込口４２は、放熱殻体１のホール１２と対応し、電源コードが放熱殻体１のホール１２を経由して制御回路４の電源入力差込口４２と接続し、電源を制御回路４の中に導入すると共に、制御回路４及び発光ランプ・ユニット３を接続させ、制御回路４が発光ランプ・ユニット３を駆動して光源を生じさせ、一方、制御回路４上のスイッチ４１は、発光ランプ・ユニット３のオン・オフを制御することが出来る。
【００１２】
図４は、本考案の実施略図であり、電源が制御回路４の電源入力差込口４２から制御回路４へ導入されると、スイッチ４１によって発光ランプ・ユニット３のオン・オフを制御することが出来、発光ランプ・ユニット３にて光源が発生すると、光線が放熱殻体１の表示窓１１を経由して放射され、必要な照明を提供する。
一方、発光ランプ・ユニット３にて生じた熱エネルギーは放熱モジュール２の導熱基板２１を経由して接収され、導熱管２２及び放熱フィン２３へ伝送される。最後に、放熱フィン２３を経由して熱エネルギーを放熱殻体１へ伝導し、放熱殻体１によって外界と熱交換を行い、速やかに放熱する目的を達成し、更に発光ランプ・ユニット３の使用寿命を延長させる。
【００１３】
尚、放熱速度を増加するため、放熱モジュール２の上に少なくとも一組以上の放熱ファン（図示せず）を増設し、且つ放熱殻体１の上に放熱ファンと対応する対流口を設けて放熱殻体１によって放熱するほか、放熱ファンによって熱エネルギーを放熱殻体１の対流口から放熱殻体１の対流口から外へ排出することによって、速やかに放熱させる機能を達成させてもよい。
【図面の簡単な説明】
【００１４】
【図１】本考案に係るスタンド・ランプ構造の斜視略図である。
【図２】本考案に係るスタンド・ランプ構造の内側断面略図である。
【図３】本考案に係るスタンド・ランプ構造の外側断面略図である。
【図４】本考案に係るスタンド・ランプ構造の実施例略図である。
【符号の説明】
【００１５】
１        放熱殻体
１１      表示器
１２      ホール
１３      開口
２        放熱モジュール
２１      導熱基板
２２      導熱管
２３      放熱フィン
３        発光ランプ
４        制御回路
４１      スイッチ
４２      電源入力差込口
【図１】
0003128944.tif 000003
【図２】
0003128944.tif 000004
【図３】
0003128944.tif 000005
【図４】
0003128944.tif 000006